(57)【要約】【課題】従来の技術による諸問題を解決するため、外部保存装置にアクセスできる留守番電話を提供する。【解決手段】留守番電話は、外部ラインとカップリングされるインターフェイスモジュールと、外部保存装置にカップリングされ、外部保存装置にアクセスするためのホストデバイスコントローラーと、インターフェイスモジュールとホストデバイスコントローラーにカップリングされ、外部保存装置へのメッセージの読み出しまたは書き込みを制御する制御回路と、制御回路にカップリングされ、外部保存装置に保存される音声メッセージを再生する音声出力装置とを含む。【選択図】図２
0003116751.tif 000002
【実用新案登録請求の範囲】
【請求項１】
留守番電話であって、
外部ラインとカップリングされるインターフェイスモジュールと、
外部保存装置にカップリングされ、外部保存装置にアクセスするためのホストデバイスコントローラーと、
インターフェイスモジュールとホストデバイスコントローラーにカップリングされ、外部保存装置へのメッセージの読み出しまたは書き込みを制御する制御回路と、
制御回路にカップリングされ、外部保存装置に保存される音声メッセージを再生する音声出力装置とを含むことを特徴とする留守番電話。
【請求項２】
前記留守番電話は更に、
制御回路にカップリングされ、音波を受信して音声入力を発する音声入力装置を含むことを特徴とする請求項１記載の留守番電話。
【請求項３】
前記音声入力装置がマイクロフォンであることを特徴とする請求項２記載の留守番電話。
【請求項４】
前記制御回路がマイクロコントローラーを含むことを特徴とする請求項１記載の留守番電話。
【請求項５】
前記制御回路がアナログ／デジタル変換器（ＡＤＣ）を含むことを特徴とする請求項１記載の留守番電話。
【請求項６】
前記インターフェイスモジュールはインターフェイス回路を含み、そのうち制御回路は予定条件によりインターフェイス回路をオンフック状態またはオフフック状態にすることを特徴とする請求項１記載の留守番電話。
【請求項７】
前記インターフェイスモジュールは更に、外部ラインに対して着信音検知を行う着信音検知装置を含み、そのうち制御回路は着信音検知装置の検知結果によりインターフェイス回路をオンフック状態からオフフック状態にすることを特徴とする請求項６記載の留守番電話。
【請求項８】
前記外部保存装置はＵＳＢ準拠の保存装置であり、前記ホストデバイスコントローラーはＵＳＢホストデバイスコントローラーであることを特徴とする請求項１記載の留守番電話。
【請求項９】
前記外部保存装置はメモリーカードであり、前記ホストデバイスコントローラーは目盛りカードホストデバイスコントローラーであることを特徴とする請求項１記載の留守番電話。
【請求項１０】
前記音声出力装置は、
音声出力信号を増幅する増幅回路と、
増幅回路にカップリングされ、増幅された音声出力信号を出力するスピーカーとを含むことを特徴とする請求項１記載の留守番電話。
【請求項１１】
前記音声出力装置がスピーカーを含むことを特徴とする請求項１記載の留守番電話。
【請求項１２】
前記留守番電話は更に、
制御回路にカップリングされ、情報または指令を制御回路に入力するためのキーパッドを含むことを特徴とする請求項１記載の留守番電話。
【請求項１３】
前記留守番電話は更に、
制御回路にカップリングされ、制御回路からの情報を表示する表示装置を含むことを特徴とする請求項１記載の留守番電話。
【請求項１４】
前記表示装置は、液晶ディスプレイ、真空蛍光ディスプレイ、ポリマー発光ダイオードディスプレイ、有機発光ダイオードディスプレイまたは発光ダイオードディスプレイからなる群から選ばれることを特徴とする請求項１３記載の留守番電話。
【考案の詳細な説明】
【技術分野】
【０００１】
この考案は留守番電話に関し、特に外部保存装置にアクセスできる留守番電話に関する。
【背景技術】
【０００２】
図１を参照する。図１は従来の留守番電話１０を表す説明図である。留守番電話１０はインターフェイス回路１２と、着信音検知装置１４と、デジタル電話応答デバイス（ＤＴＡＤ）コントローラー１６と、メモリー１８と、音声出力装置２０と、音声入力装置２２と、キーパッド２４と、表示装置２６とを含み、そのうちキーパッド２４は複数のキー／ボタン（非表示）を具える。電話応答を行うＤＴＡＤコントローラー１６は当業者に周知されているので、ここでその説明を省略する。
【０００３】
インターフェイス回路１２と着信音検知装置１４はいずれも外部ライン６０にカップリングされる。そのうち着信音検知装置１４は外部ライン６０に対して着信音の有無を検知するものである。ＤＴＡＤコントローラー１６は着信音検知装置１４の検知結果によってインターフェイス回路１２をオンフック（切断）状態またはオフフック（通話）状態にすることができる。着信音検知装置１４が外部ライン６０から着信音を検出すれば、ＤＴＡＤコントローラー１６は着信音の回数が予定値に達するかまたは着信音の時間が予定時間に達するかなどの条件に基づいて、インターフェイス回路１２をオンフック状態からオフフック状態にする。着信音の回数または時間が予定の条件を満たせば、インターフェイス回路１２がオンフック状態からオフフック状態にされるとともに、発信者メッセージの録音が始まる。その後、発信者メッセージは音声データとして外部ライン６０からインターフェイス回路１２を通してＤＴＡＤコントローラー１６に送信され、メモリー１８またはテープに保存される。
【０００４】
表示装置２６は留守番電話１０に録音メッセージの有無を表示するものである。そして使用者はキーパッド２４でメッセージを再生することができる。メッセージを再生するにあたって、ＤＴＡＤコントローラー１６はメモリー１８からメッセージの音声データを読み込み、音声出力装置２０によりメッセージは再生される。
【０００５】
しかし従来の技術においては、メモリー１８は留守番電話１０に設置されているため、メッセージの音声データはその他の機械で再生して利用することができないのである。
【考案の開示】
【考案が解決しようとする課題】
【０００６】
この考案は前述のような従来の技術の問題を解決するため、外部保存装置にアクセスできる留守番電話を提供することを課題とする。
【課題を解決するための手段】
【０００７】
この考案による留守番電話は、外部ラインとカップリングされるインターフェイスモジュールと、外部保存装置にカップリングされ、外部保存装置にアクセスするためのホストデバイスコントローラーと、インターフェイスモジュールとホストデバイスコントローラーにカップリングされ、外部保存装置へのメッセージの読み出しまたは書き込みを制御する制御回路と、制御回路にカップリングされ、外部保存装置に保存される音声メッセージを再生する音声出力装置とを含む。
【考案の効果】
【０００８】
この考案による留守番電話は外部保存装置で着信メッセージ（ＩＣＭ）を代表する音声ファイルを保存するものである。使用者は外部保存装置を取り外し、別途にコンピューターシステムまたはそれと互換性のある装置とカップリングするのみで、外部保存装置に保存される音声ファイルを利用することができる。なお、この考案による留守番電話が故障した場合には、使用者は外部保存装置をこの考案によるその他の電話機にカップリングするのみで、外部保存装置に保存される音声ファイルを利用することができる。更に、この考案による電話機は外部保存装置の音声ファイルを再生する再生装置とすることができる。
【考案を実施するための最良の形態】
【０００９】
かかる装置の特徴を詳述するために、具体的な実施例を挙げ、図示を参照にして以下に説明する
【実施例１】
【００１０】
図２を参照する。図２はこの考案の実施例１による留守番電話１００を表す説明図である。留守番電話１００はインターフェイスモジュール１１０と、制御回路１２０と、ホストデバイスコントローラー（ＨＤＣ）１３０と、音声出力装置１４０と、キーパッド１６０と、表示装置１７０とを含む。そのうちインターフェイスモジュール１１０は前記インターフェイス回路１２と着信音検知装置１４を含み、音声出力装置１４０は増幅回路１４２とスピーカー１４４を含み、キーパッド１６０は複数のキー／ボタン（非表示）を含む。この実施例においては、制御回路１２０はマイクロコントローラーであり、表示装置１７０は液晶ディスプレイである。
【００１１】
図２によれば、ホストデバイスコントローラー１３０は外部保存装置８０にカップリングされ、外部保存装置８０にアクセスするためのものである。この実施例において、外部保存装置８０はＵＳＢ（ユニバーサルシリアルバス）規格準拠の保存装置であり、ホストデバイスコントローラー１３０はＵＳＢ規格をサポートするものであってＵＳＢホストデバイスコントローラーと称される。なお、インターフェイスモジュール１１０は外部ライン６０とカップリングされ、それに含まれる着信音検知装置１４は外部ライン６０に対して着信音検知を行う。制御回路１２０は着信音検知装置１４の検知結果に基づいてインターフェイス回路１２をオンフック状態またはオフフック状態にすることができる。着信音検知装置１４が外部ライン６０から着信音を表す信号を検出すれば、制御回路１２０は着信音の回数が予定値（例えば３回）に達するかまたは着信音の時間が予定時間（例えば１０秒間）に達するかなどの判断条件に基づいて、インターフェイス回路１２をオンフック状態またはオフフック状態にする。着信音の回数または時間が予定の条件を満たせば、インターフェイス回路１２はオンフック状態からオフフック状態にされる。この場合、発信者のメッセージなど外部ライン６０からの着信メッセージ（ＩＣＭ）は制御回路１２０に送信され、制御回路１２０の制御によりホストデバイスコントローラー１３０はそれを音声ファイルとして外部保存装置８０に保存する。これでメッセージは録音される。
【００１２】
制御回路１２０は１個以上の予定規則に基づいてメッセージの録音を終了する。例えば、発信者が一定のボタンを押すか、メッセージ録音が一定の時間に達するか、またはＩＣＭの音声ファイルが一定値に達する（例えばその容量が一定値になる）ときに録音を終了する。録音の終了が決まれば、制御回路１２０はインターフェイス回路１２をオフフック状態からオンフック状態にするとともに録音を終了する。この実施例による制御回路１２０はホストデバイスコントローラー１３０から外部保存装置８０に保存されるファイルの数量、ファイル名または容量などの情報を読み取ることができるのみならず、ＩＣＭの録音過程においてその音声ファイルの容量変化（例えば読み込まれたデータ容量）をモニターすることもできる。
【００１３】
外部保存装置８０は留守番電話１００から取り外すことができる。市販のコンピューターシステムはＵＳＢをサポートするものが大多数であり、たとえＵＳＢをサポートしない場合でもＵＳＢインターフェイスカードを増設することも可能である。したがって、使用者は外部保存装置８０をＵＳＢサポートのコンピューターシステムにカップリングするのみで、その中に保存される音声ファイルを利用することができる。
【００１４】
表示装置１７０は制御回路１２０からの情報、例えば外部保存装置８０に保存されるメッセージの数量、時間及び／または音声ファイルの数量または容量などを表示する。キーパッド１６０は情報または指令を制御回路１２０に入力することに供するものである。ＩＣＭの音声ファイルまたは外部保存装置８０に保存されるその他の音声ファイルを再生しようとする際、使用者はキーパッド１６０で留守番電話１００に当該音声ファイルを再生させるように制御するのみで済む。それで制御回路１２０の制御により、ホストデバイスコントローラー１３０は使用者が選んだ音声ファイルを読み取って対応する音声出力信号Ｓ１を発する。この実施例において、制御回路１２０のトリガーによりホストデバイスコントローラー１３０はキーパッド１６０で入力された情報に基づいて使用者が選んだ音声ファイルを読み取りはじめ、音声出力装置１４０は制御回路１２０からの音声出力信号Ｓ１を出力することによって音声ファイルを再生する。この実施例による音声出力装置１４０において、増幅回路１４２は音声出力信号Ｓ１を音声出力信号Ｓ２と増幅し、スピーカー１４４は増幅済の音声出力信号Ｓ２を出力することによって音声ファイルを再生するものである。
【００１５】
この実施例によれば、使用者はキーパッド１６０で留守番電話１００に外部保存装置８０に保存されるいずれかの音声ファイルを再生させるように制御し、それを試聴してからまた発信メッセージ（ＯＧＭ）の音声ファイルとして選択することができる。換言すれば当該音声ファイルを、留守番電話１００が発信者に応答する際に使用されるメッセージとすることができる。使用者がＯＧＭとして音声ファイルを選定すれば、前記ＩＣＭを録音する前、制御回路１２０の制御によりホストデバイスコントローラー１３０は外部保存装置８０に保存される音声ファイルを読み出し、当該音声ファイルをＯＧＭとしてインターフェイスモジュール１１０を通して外部ラインに向けて再生する。そしてＯＧＭとされる音声ファイルの再生が終了したら、制御回路１２０はＩＣＭの録音を開始する。
【実施例２】
【００１６】
図３を参照する。図３はこの考案の実施例２による留守番電話２００を表す説明図である。実施例２は実施例１と類似するものであり、その相違点については以下の通りである。留守番電話２００は実施例１の制御回路１２０と音声出力装置１４０の代わりに、制御回路２２０と音声出力装置２４０を有する。実施例２の制御回路２２０はマイクロコントローラーであり、音声入力信号Ｓｉをデジタル化するアナログ／デジタル変換器（ＡＤＣ）２２５を含む。音声出力装置２４０は、制御回路２２０にカップリングされて制御回路２２０からの音声出力信号Ｓ３を受信するスピーカー２４４を含む。この実施例による制御回路２２０はスピーカー２４４を直接に駆動するので、実施例１のような増幅回路を音声出力装置２４０に設置しなくてもスピーカー２４４のみで音声出力信号Ｓ３を出力することができる。
【００１７】
留守番電話２００は更に音声入力装置２５０を含む。この実施例において、音声入力装置２５０はマイクロフォンである。メモなどのメッセージまたはＯＧＭを録音しようとする際、使用者はキーパッド１６０で留守番電話２００にメモまたはＯＧＭを代表する音声ファイルを録音させるように制御するのみで済む。音声入力装置２５０は使用者による音波を受信して音声入力信号Ｓｉを発し、またそれを制御回路２２０に送信する。この場合、制御回路２２０の制御によりホストデバイスコントローラー１３０は、音声入力信号Ｓｉに対応する音声ファイルを外部保存装置８０に保存する。のみならず、使用者はキーパッド１６０で留守番電話１００に予備の音声ファイルを録音させ、更にキーパッド１６０で外部保存装置８０に保存されるいずれかの音声ファイルをＯＧＭとして選ぶことができる。それ以外は実施例１と一致しているので、ここでその説明を省略する。
【００１８】
なお、そのほかの実施例においても、マイクロコントローラーにＡＤＣを設置することが可能である。
【００１９】
実施例１または実施例２のその他の応用において、外部保存装置はメモリーカードであり、ホストデバイスコントローラーはメモリーカードをサポートするものである。市販のコンピューターシステムにはカードリーダーを備える機種があり、カードリーダーを備えない場合でも、外付けのカードリーダーをコンピューターシステムにカップリングするのみで使用することができる。使用者はこの方法でメモリーカードに保存される音声ファイルを利用することができる。それ以外は実施例１または実施例２と一致しているので、ここでその説明を省略する。
【００２０】
またその他の実施例においては、外部保存装置はＵＳＢメモリーまたはその他の伝送インターフェイスを利用する携帯型保存媒体を利用する。この場合、留守番電話のホストデバイスコントローラーもそれに応じてＵＳＢまたはその他の規格に準拠するインターフェイスをサポートするホストデバイスコントローラーを利用する。
【００２１】
実施例１または実施例２のその他の応用においては、表示装置は有機発光ダイオード（ＯＬＥＤ）ディスプレイを利用する。なお、実施例１または実施例２の更なる応用においては、表示装置は１個以上の７行表示器を含むとする。それ以外実施例１または実施例２と一致する箇所については、ここでその説明を省略する。更に、その他の実施例においては、表示装置は真空蛍光ディスプレイ（ＶＦＤ）、ポリマー発光ダイオード（ＰＬＥＤ）または発光ダイオード（ＬＥＤ）ディスプレイである。
【００２２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【００２３】
例えば、従来の留守番電話にこの考案によるホストデバイスコントローラーを設置し、更に外部保存装置と接続する接続ポートを設置すれば、従来の構造においてもこの考案の趣旨を実現することができる。
【産業上の利用可能性】
【００２４】
この考案による留守番電話は外部保存装置でＩＣＭを代表する音声ファイルを保存するものである。使用者は外部保存装置を取り外し、別途にコンピューターシステムまたはそれと互換性のある装置とカップリングするのみで、外部保存装置に保存される音声ファイルを利用することができる。
【図面の簡単な説明】
【００２５】
【図１】従来の留守番電話を表す説明図である。
【図２】この考案の実施例１による留守番電話を表す説明図である。
【図３】この考案の実施例２による留守番電話を表す説明図である。
【符号の説明】
【００２６】
１０、１００、２００     留守番電話
１２、１１０             インターフェイス回路
１４               着信音検知装置
１６               ＤＴＡＤコントローラー
１８               メモリー
２０、１４０、２４０     音声出力装置
２２、２５０             音声入力装置
２４、１６０             キーパッド
２６、１７０             表示装置
６０               外部ライン
８０               外部保存装置
１２０、２２０     制御回路
１３０             ホストデバイスコントローラー
１４２             増幅回路
１４４、２４４     スピーカー
２５５             ＡＤＣ
【図１】
0003116751.tif 000003
【図２】
0003116751.tif 000004
【図３】
0003116751.tif 000005